(57)【要約】【課題】中間戸当たりピースが外れるのを防止することができるとともに、取付コストを低減することができる開口部装置を提供する。【解決手段】枠体と、この枠体内に左右方向に移動可能に収納された障子とを備え、障子の戸先側縦框Ｃ３と対向する枠体の縦枠にガイド突条が設けられているとともに、戸先側縦框は金属製の屋外側部材６３と合成樹脂製の屋内側部材６８とからなり、屋外側部材の戸先側部分とこの戸先側部分に係止された屋内側部材の戸先側部分とにより形成されたガイド突条側に開口する取付部Ｔ２に、斜状面５５ｂを有する中間戸当たりピース５５が取り付けられて、障子を閉める際にガイド突条に中間戸当たりピースの斜状面が当たって戸先側縦框を室内側に寄せるようにしている開口部装置であって、中間戸当たりピースは、取付部の屋内側部材の室内側に戸先側と反対側の端部で当接される。【選択図】      図５
2004324338.tif 000002
【特許請求の範囲】
【請求項１】
枠体と、この枠体内に左右方向に移動可能に収納された障子とを備え、前記障子の戸先側縦框と対向する前記枠体の縦枠に、ガイド突条が設けられているとともに、前記戸先側縦框は、金属製の屋外側部材と合成樹脂製の屋内側部材とからなり、前記屋外側部材の戸先側部分とこの戸先側部分に係止された前記屋内側部材の戸先側部分とにより形成された前記ガイド突条側に開口する取付部に、斜状面を有する中間戸当たりピースが取り付けられて、前記障子を閉める際に前記ガイド突条に前記中間戸当たりピースの前記斜状面が当たって前記戸先側縦框を室内側に寄せるようにしている開口部装置であって、前記中間戸当たりピースは、前記取付部の前記屋内側部材の室内側に、戸先側と反対側の端部で当接されることを特徴とする開口部装置。
【発明の詳細な説明】
【０００１】
【発明の属する技術分野】
本発明は、引き違い障子または片引き障子等のように左右方向に移動可能な障子が枠体内に収納された開口部装置に関する。
【０００２】
【従来の技術】
この種の開口部装置の一つとして、従来から、例えば、図６に示す引違いサッシが知られている。
この引違いサッシは、金属と合成樹脂とからなる複合サッシであって、枠体１と、この枠体１内に左右方向に移動可能に収納された外障子２および内障子３とを備えている。外障子２および内障子３の各戸先側縦框Ｇ、Ｈと対向する枠体１の縦枠６、７にはそれぞれ、ガイド突条８、９が設けられている。各戸先側縦框Ｇ、Ｈはそれぞれ、アルミニウム合金製の押出形材からなる屋外側部材４、５と、これらの屋外側部材４、５の室内側に配設された合成樹脂製の屋内側部材１２、１３とから構成されている。
【０００３】
各屋外側部材４、５の室外側壁４ａ、５ａから縦枠６、７方向へ延びる延出部４ｂ、５ｂには、一対の鉤状の係止部４ｃ、５ｃが形成されており、これらの係止部４ｃ、５ｃに気密材１０が取り付けられている。各屋外側部材４、５の戸先側壁４ｄ、５ｄの室外側には、段部４ｅ、５ｅが形成されている。
【０００４】
各屋内側部材１２、１３の室内から室外に向かって延びる板部１２ａ、１３ａは、各屋外側部材４、５の戸先側壁４ｄ、５ｄに接触され、そして板部１２ａ、１３ａの先端部から戸先側壁４ｄ、５ｄ側に折曲されている係止部１２ｂ、１３ｂが段部４ｅ、５ｅに係止されている。各屋内側部材１２、１３には、板部１２ａ、１３ａの基端部から戸先側（障子の面外側）に延びる嵌合部１２ｃ、１３ｃが形成されており、この嵌合部１２ｃ、１３ｃの先端には、室外側に折曲された係止部１２ｄ、１３ｄが形成されている。
屋外側部材４、５および屋内側部材１２、１３の上下両端部および上下方向中間部にはそれぞれ、上部、下部戸当たりピース（図示せず）および中間戸当たりピース１４が取り付けられている。
【０００５】
図７にも示すように、中間戸当たりピース１４は、概略Ｌ字板状に形成されており、室内外方向に延びる突き当て面１４ａと、枠体１の縦枠６、７に向かうにつれて次第に室内側に向かう湾曲した斜状面１４ｂとを備えており、これらの突き当て面１４ａと斜状面１４ｂとが障子の移動方向に沿って延びる水平面１４ｃを介して接続されている。また、中間戸当たりピース１４は、突き当て面１４ａよりも少し面内側（戸先側と反対側）に下がった位置に形成された面外側面１４ｄと、室外側面１４ｅと、面内側面１４ｆと、室内側面１４ｇとを備えており、室内側面１４ｇの戸先側の端部には、嵌合部１２ｃ、１３ｃ側に突出する突出部１４ｈが形成され、この突出部１４ｈと斜状面１４ｂとの間には、凹溝１４ｉが形成されている。
【０００６】
中間戸当たりピース１４は、屋外側部材４、５の延出部４ｂ、５ｂ、戸先側と反対側（障子の面内側）の係止部４ｃ、屋内側部材１２、１３の板部１２ａ、１３ａおよび嵌合部１２ｃ、１３ｃにより形成される取付部Ｔ３、Ｔ４に、嵌合されている。中間戸当たりピース１４の凹溝１４ｈには、屋内側部材１２、１３の嵌合部１２ｃ、１３ｃの係止部１２ｄ、１３ｄが係止されている。
このように構成された引違いサッシにおいては、外障子２あるいは内障子３を閉める際に、枠体１の縦枠６、７のガイド突条８、９に、上部、下部戸当たりピースおよび中間戸当たりピース１４の斜状面１４ｂが当たって各戸先側縦框Ｇ、Ｈを室内側に寄せるようになっている。
【０００７】
【発明が解決しようとする課題】
ところで、このような引違いサッシにおいては、室内側から室外側に加圧されると、障子全体が室外側に突出するように湾曲する。障子全体は中心部に向かうにつれて漸次変形量が大きくなる。このとき、中間戸当たりピース１４には大きな力が集中して作用するが、図７に内障子３について示すように、中間戸当たりピース１４の室内側面１４ｇの戸先側の端部に突出部１４ｈが形成されているので、屋内側部材１３の嵌合部１３ｃの戸先側（先端側）に中間戸当たりピース１４からの荷重Ｆが集中して作用する。そうすると、屋内側部材１３には、嵌合部１３ｃの基部でかつ室内側の箇所Ｘ１を支点にこの荷重Ｆにより回転する力が作用する。そして、屋内側部材１３の成形時のばらつきにより、板部１３ａと戸先側壁５ｄとの間に隙間ｔ１が発生していたり、あるいは係止部１３ｂの段部５ｅへのかかり寸法ｔ２が小さくなっていたりすると、この回転力により係止部１３ｂが段部５ｅから外れてしまう虞がある。外障子２についても同様である。
【０００８】
このため、従来は、屋外側部材４、５と屋内側部材１２、１３との固定も兼ねて、ねじにより、屋外側部材４、５の戸先側壁４ｄ、５ｄと屋内側部材１２、１３の板部１２ａ、１３ａと中間戸当たりピース１４とを同時にねじ止めしている。
しかしながら、このように中間戸当たりピース１４をねじ止めすると、ねじ加工の費用、ねじ代および取付工賃が必要となるため、中間戸当たりピース１４の取付コストが高くなるという問題がある。
【０００９】
本発明は、このような事情に鑑みて為されたもので、中間戸当たりピースが外れるのを防止することができるとともに、取付コストを低減することができる開口部装置を提供することを目的とする。
【００１０】
【課題を解決するための手段】
上記目的を達成するために、請求項１に記載の開口部装置は、枠体と、この枠体内に左右方向に移動可能に収納された障子とを備え、前記障子の戸先側縦框と対向する前記枠体の縦枠に、ガイド突条が設けられているとともに、前記戸先側縦框は、金属製の屋外側部材と合成樹脂製の屋内側部材とからなり、前記屋外側部材の戸先側部分とこの戸先側部分に係止された前記屋内側部材の戸先側部分とにより形成された前記ガイド突条側に開口する取付部に、斜状面を有する中間戸当たりピースが取り付けられて、前記障子を閉める際に前記ガイド突条に前記中間戸当たりピースの前記斜状面が当たって前記戸先側縦框を室内側に寄せるようにしている開口部装置であって、前記中間戸当たりピースは、前記取付部の前記屋内側部材の室内側に、戸先側と反対側の端部で当接されることを特徴とする。
【００１１】
請求項１に記載の発明においては、中間戸当たりピースが取付部における屋内側部材の室内側に戸先側と反対側（障子の面内側）の端部で当接されるので、室内側から室外側に加圧されて中間戸当たりピースに力が作用すると、取付部の屋内側部材の室内側には戸先側と反対側（取付部の基部）に荷重が集中して作用するため、取付部の屋内側部材には、回転する力が殆ど生じない。このため、合成樹脂製の屋内側部材に成形時のばらつきがあっても、屋内側部材の戸先側部分の屋外側部材の戸先側部分への係止が外れることがないので、中間戸当たりピースをねじ止めすることなく、取付部に取り付けることができる。したがって、中間戸当たりピースの取付コストを低減することができる。
【００１２】
【発明の実施の形態】
以下、添付した図面を参照しながら、本発明の実施の形態を説明する。
図１は、本発明の実施の形態に係る引違いサッシを示す横断面図であり、図２は縦断面図である。
この引違いサッシ（開口部装置）は、金属と合成樹脂とからなる複合サッシであって、枠体Ａと、この枠体Ａ内に左右方向に移動可能に収納された外障子（障子）Ｂ、内障子（障子）Ｃおよび網戸Ｄとを備えている。
【００１３】
枠体Ａは、上枠２１、下枠２２およびアルミニウム合金製の押出形材からなる左右の縦枠２３、２４により方形に組み立てられて構成されている。上枠２１および下枠２２はそれぞれ、アルミニウム合金製押出形材からなる室外側枠材２１ａ、２２ａおよび室内側枠材２１ｂ、２２ｂと、これらの間にそれぞれかしめにより固定されて介在された硬質ゴムあるいは合成樹脂等からなるブリッジ材２１ｃ、２２ｃとにより構成されている。上枠２１、下枠２２および縦枠２３、２４の室内側にはそれぞれ、合成樹脂製アングル２６、２７、２８、２９が設けられて、枠体Ａの断熱性が高められている。
【００１４】
左側の縦枠２３には、室外側寄りに、面内側に突出しかつ上下方向に連続的に延びるガイド突条３１が一体に形成され、一方右側の縦枠２４には、室内側寄りに、面内側に突出しかつ上下方向に連続的に延びるガイド突条３２が一体に形成されている。
【００１５】
外障子Ｂは、上框Ｂ１、下框Ｂ２、戸先側縦框Ｂ３および召し合わせ縦框Ｂ４とにより方形の框組体５０が組み立てられ、この框組体５０に複層ガラス５１が組み込まれて構成されている。上框Ｂ１、下框Ｂ２、戸先側縦框Ｂ３はそれぞれ、アルミニウム合金製の押出形材からなる屋外側部材４１、４２、４３と、これらの屋外側部材４１、４２、４３の室内側に配設された合成樹脂製の屋内側部材４６、４７、４８とから構成されている。このように、この外障子Ｂは、室内側に合成樹脂製の屋内側部材４６、４７、４８を配置して高性能断熱を実現するとともに、室内側のインテリア性を高めた障子とされている。なお、召し合わせ縦框Ｂ４はアルミニウム合金製の押出形材からのみで構成されているが、この召し合わせ縦框Ｂ４の内側には、内障子Ｃの召し合わせ縦框Ｃ４が位置するので、高断熱性能は担保されている。
【００１６】
屋外側部材４３の室外側壁４３ａから戸先側へ延びる延出部４３ｂには、一対の鉤状の係止部４３ｃ、４３ｃが形成されており、これらの係止部４３ｃ、４３ｃに気密材５２が取り付けられている。屋外側部材４３の戸先側壁４３ｄの室外側端部には、段部４３ｅが形成されている。
【００１７】
一方、屋内側部材４８には、室内から室外に向かって延びる板部４８ａが形成されており、この板部４８ａの先端部には、戸先側壁４３ｄ側に折曲された係止部４８ｂが形成されている。板部４８ａは屋外側部材４３の戸先側壁４３ｄに接触され、そして係止部４８ｂが段部４３ｅに係止されている。また、屋内側部材４８には、板部４８ａの基端部から戸先側（障子の面外側）に延びている嵌合部４８ｃが形成されており、この嵌合部４８ｃの先端には、室外側に折曲された係止部４８ｄが形成されている。
【００１８】
図３に示すように、戸先側縦框Ｂ３の上下両端部にはそれぞれ、上部戸当たりピース５３および下部戸当たりピース５４が取り付けられているとともに、上下方向中間部には、間隔をおいて２個の中間戸当たりピース５５、５５が取り付けられている。
【００１９】
図１および図４に示すように、中間戸当たりピース５５は、屋外側部材４３および屋内側部材４８に取り付けられている。
中間戸当たりピース５５は、合成樹脂で概略Ｌ字板状に形成されたものであって、室内外方向に延びる突き当て面５５ａと、この突き当て面５５ａの枠体Ａの左側の縦枠２３寄りの位置に形成され、縦枠２３に向かうにつれて次第に室内側に向かう湾曲した斜状面５５ｂと、突き当て面５５ａと斜状面５５ｂとの間に形成され、突き当て面５５ａから斜状面５５ｂに向かうにつれて次第に室外側に向かう斜面５５ｃとを備えている。
【００２０】
また、中間戸当たりピース５５は、突き当て面５５ａの室外側に接続され、該突き当て面５５ａよりも少し戸先側と反対側（障子の面内側）に下がった位置に形成された面外側面５５ｄと、この面外側面５５ｄに接続された室外側面５５ｅと、室外側面５５ｅに接続され、屋内側部材４８の板部４８ａに接触される面内側面５５ｆと、この面内側面５５ｆに接続された室内側面５５ｇとを備えており、室内側面５５ｇの戸先側と反対側の端部には、屋内側部材４８の嵌合部４８ｃ側（室内側）に突出する突出部５５ｈが形成され、この突出部５５ｈと斜状面５５ｂとの間には、凹溝５５ｉが形成されている。
【００２１】
中間戸当たりピース５５は、屋外側部材４３の延出部４３ｂ、戸先側と反対側（障子の面内側）の係止部４３ｃ、屋内側部材４８の板部４８ａおよび嵌合部４８ｃにより形成される取付部Ｔ１に、嵌合されて取り付けられている。このとき、中間戸当たりピース５５の凹溝５５ｉに、屋内側部材４８の嵌合部４８ｃの係止部４８ｄが係止されている。
上部戸当たりピース５３および下部戸当たりピース５４は、中間戸当たりピース５５と同様に形成され、屋外側部材４３および屋内側部材４８に取り付けられている。
【００２２】
これらの上部戸当たりピース５３、下部戸当たりピース５４および中間戸当たりピース５５は、外障子Ｂを閉める際に、縦枠２３のガイド突条３１にこれらの上部戸当たりピース５３、下部戸当たりピース５４および中間戸当たりピース５５の各斜状面が当たって戸先側縦框Ｂ３を室内側に寄せるようになっており、外障子Ｂが完全に閉められた状態では、上部戸当たりピース５３、下部戸当たりピース５４および中間戸当たりピース５５の各突き当て面がガイド突条３１の先端に突き当てられる。
【００２３】
内障子Ｃは、外障子Ｂと略同様に構成されている。すなわち、内障子Ｃは、上框Ｃ１、下框Ｃ２、戸先側縦框Ｃ３および召し合わせ縦框Ｃ４とにより方形の框組体７０が組み立てられ、この框組体７０に複層ガラス５１が組み込まれて構成されている。上框Ｃ１、下框Ｃ２、戸先側縦框Ｃ３および召し合わせ縦框Ｃ４はそれぞれ、アルミニウム合金製の押出形材からなる屋外側部材６１、６２、６３、６４と、これらの各屋外側部材６１、６２、６３、６４の室内側に配設された合成樹脂製の屋内側部材６６、６７、６８、６９とから構成されている。このように、この内障子Ｃも、室内側に屋内側部材６６、６７、６８、６９を配置して高性能断熱を実現するとともに、室内側のインテリア性を高めた障子とされている。
【００２４】
また、室外側部材６３も屋外側部材４３と略同様に構成されている。すなわち、室外側部材６３の室外側壁６３ａから戸先側へ延びる延出部６３ｂには、一対の鉤状の係止部６３ｃ、６３ｃが形成されており、これらの係止部６３ｃ、６３ｃに気密材５２が取り付けられている。室外側部材６３の戸先側壁６３ｄの室外側端部には、段部６３ｅが形成されている。
【００２５】
また、屋内側部材６８も屋内側部材４８と略同様に構成されている。すなわち、屋内側部材６８には、室内から室外に向かって延びる板部６８ａが形成されており、この板部６８ａの先端部には、戸先側壁６３ｄ側に折曲された係止部６８ｂが形成されている。板部６８ａは室外側部材６３の戸先側壁６３ｄに接触され、そして係止部６８ｂが段部６３ｅに係止されている。また、屋内側部材６８には、板部６８ａの基端部から戸先側（障子の面外側）に延びている嵌合部６８ｃが形成されており、この嵌合部６８ｃの先端には、室外側に折曲された係止部６８ｄが形成されている。
【００２６】
内障子Ｃの室外側部材６３にも、外障子Ｂと同様にして、上部戸当たりピース５３、下部戸当たりピース５４および２つの中間戸当たりピース５５が取り付けられている。例えば、中間戸当たりピース５５は、屋外側部材６３の延出部６３ｂ、戸先側と反対側（障子の面内側）の係止部６３ｃ、屋内側部材６８の板部６８ａおよび嵌合部６８ｃにより形成される取付部Ｔ２に、嵌合されて取り付けられている。このとき、中間戸当たりピース５５の凹溝５５ｉに、屋内側部材６８の嵌合部６８ｃの係止部６８ｄが係止されている。
【００２７】
そして、内障子Ｃを閉める際に、枠体Ａの右側の縦枠２４のガイド突条３２にこれらの上部戸当たりピース５３、下部戸当たりピース５４および中間戸当たりピース５５の各斜状面が当たって戸先側縦框Ｃ３を室内側に寄せるようになっており、内障子Ｃが完全に閉められた状態では、上部戸当たりピース５３、下部戸当たりピース５４および中間戸当たりピース５５の各突き当て面がガイド突条３２の先端に突き当てられる。
【００２８】
このように構成された引違いサッシにあっては、室内側から室外側に加圧されると、中間戸当たりピース５５には大きな力が集中して作用するが、図５に内障子３について示すように、室内側面５５ｇの基端部（戸先側と反対側の端部）に突出部５５ｈが形成されているので、この突出部５５ｈが取付部Ｔ２の屋内側部材６８の嵌合部６８ｃに当接されるため、屋内側部材６８には嵌合部６８ｃの基端部に荷重Ｆが集中して作用する。そうすると、屋内側部材６８には、嵌合部６８ｃの基部でかつ室外側の箇所Ｘに対してせん断の力が作用するが、回転する力は殆ど生じない。このため、屋内側部材６８に成形時のばらつきがあっても、屋内側部材６８の係止部６８ｂが室外側部材６３の段部６３ｅから外れることがないので、中間戸当たりピース５５をねじ止めすることなく、室外側部材６３と屋内側部材６８との間に嵌合させて取り付けることができる。したがって、中間戸当たりピース５５の取付コストを低減することができる。外障子２についても同様である。
【００２９】
なお、上述の実施の形態では、中間戸当たりピース５５の室内側面５５ｇの戸先側と反対側の端部に突出部５５ｈを形成することにより、中間戸当たりピース５５が、取付部Ｔ１、Ｔ２の屋内側部材６３、６８の室内側に、戸先側と反対側の端部で当接するようにしたが、これに代えて、取付部Ｔ１、Ｔ２の屋内側部材６３、６８の戸先側と反対側の端部に、中間戸当たりピース５５に向けて突出する突出部を設けて、中間戸当たりピース５５が、取付部Ｔ１、Ｔ２の屋内側部材６３、６８の室内側に、戸先側と反対側の端部で当接するようにしてもよい。
【００３０】
また、上述の実施の形態では、中間戸当たりピース５５の斜状面５５ｂを曲面で形成したが、平面（斜面）で形成するようにしてもよい。
【００３１】
また、上述の実施の形態では、本発明を外障子Ｂおよび内障子Ｃを備えた２枚建ての引違いサッシに適用した場合について説明したが、３枚建て、４枚建ての引違いサッシ等に本発明を適用することができ、さらに片引きサッシ等にも適用することができる。
【００３２】
【発明の効果】
以上説明したように、請求項１に記載の開口部装置によれば、中間戸当たりピースを取付部における屋内側部材の室内側に戸先側と反対側の端部で当接させるようにしたので、室内側から室外側に加圧されて中間戸当たりピースに力が作用すると、取付部の合成樹脂製の屋内側部材には戸先側と反対側に荷重が集中して作用するため、取付部の屋内側部材に回転する力を殆ど生じさせない。したがって、中間戸当たりピースをねじ止めすることなく、取付部に取り付けることができるので、中間戸当たりピースの取付コストを低減することができる。
【図面の簡単な説明】
【図１】本発明の実施の形態に係る引違いサッシを示す図であって、横断面図である。
【図２】同、縦断面図である。
【図３】戸先側縦框への上部戸当たりピース、下部戸当たりピースおよび中間戸当たりピースの取り付け状態を示す概略斜視図である。
【図４】中間戸当たりピースを示す斜視図である。
【図５】要部の横断面図である。
【図６】従来の引違いサッシ横断面図である。
【図７】同、要部の横断面図である。
【符号の説明】
Ａ    枠体
Ｂ    外障子（障子）
Ｃ    内障子（障子）
Ｂ３、Ｃ３    戸先側縦框
Ｔ１、Ｔ２    取付部
２３、２４    縦枠
３１、３２    ガイド突条
４３、６３    室外側部材
４８、６８    室内側部材
５５    中間戸当たりピース
５５ｂ    斜状面
【図１】
2004324338.tif 000003
【図２】
2004324338.tif 000004
【図３】
2004324338.tif 000005
【図４】
2004324338.tif 000006
【図５】
2004324338.tif 000007
【図６】
2004324338.tif 000008
【図７】
2004324338.tif 000009